(57)【要約】【課題】スジムラを目立たなくして画質の低下を抑制することが可能な、さらに生産効率に優れる液滴吐出装置、液滴吐出方法、及びカラーフィルターの製造方法を提供する。【解決手段】複数のノズルと、複数の駆動素子と、を有する液滴吐出ヘッド５と、シート部材１５を供給する供給リール１２と、シート部材１５を巻き取る巻取リール１３と、吐出された機能液の画像を撮影する撮像装置１４と、撮像装置１４によって撮影された画像を画像処理して機能液のシート部材１５上の着弾面積を測定し、複数のノズルから吐出された機能液の吐出量の分布を求める解析手段３２と、分布から複数のノズルにおける吐出量が所定の適正量に近づくように複数の駆動素子に印加する電圧を調整する制御手段３１と、を有し、シート部材１５は、シート基材と、機能液の着弾径よりも大きい複数の開口部を有する隔壁層と、各開口部に設けられたインク受容層と、を備える。【選択図】図１
2010243532.tif 000002
【特許請求の範囲】
【請求項１】
機能液を吐出させる複数のノズルと、前記複数のノズルに対応して設けられた複数の駆動素子と、を有する液滴吐出ヘッドと、
前記複数のノズルから吐出された前記機能液が着弾されるシート部材を供給する供給リールと、
前記供給リールから供給された前記シート部材を巻き取る巻取リールと、
前記供給リールと前記巻取リールとの間の前記シート部材に対して前記複数のノズルから吐出された前記機能液の画像を撮影する撮像装置と、
前記撮像装置によって撮影された前記画像を画像処理して前記機能液の前記シート部材上の着弾面積を測定し、前記複数のノズルから吐出された前記機能液の吐出量の分布を求める解析手段と、
前記分布から前記複数のノズルにおける前記吐出量が所定の適正量に近づくように前記複数の駆動素子に印加する電圧を調整する制御手段と、を有し、
前記シート部材は、シート基材と、前記シート基材上に設けられた前記機能液の着弾径よりも開口間隔の大きい複数の開口部を有する隔壁層と、前記隔壁層の各開口部内に設けられた顔料をバインダーで結着させた多孔質のインク受容層と、を備えることを特徴とする液滴吐出装置。
【請求項２】
前記隔壁層の高さが前記インク受容層の高さよりも高くなっていることを特徴とする請求項１に記載の液滴吐出装置。
【請求項３】
機能液を吐出させる複数のノズルと、前記複数のノズルに対応して設けられた複数の駆動素子と、を有する液滴吐出ヘッドを用いた液滴吐出方法であって、
シート部材上に前記機能液を着弾する第１着弾工程と、
前記第１着弾工程の後に、前記シート部材上に着弾された前記機能液の第１着弾面積を測定し、前記複数のノズルから吐出された前記機能液の吐出量の分布を求める第１解析工程と、
前記分布から前記複数のノズルにおける前記吐出量が所定の適正量に近づくように前記複数の駆動素子に印加する電圧を調整する第１制御工程と、を有し、
前記シート部材は、シート基材と、前記シート基材上に設けられた前記機能液の着弾径よりも開口間隔の大きい複数の開口部を有する隔壁層と、前記隔壁層の各開口部内に設けられた顔料をバインダーで結着させた多孔質のインク受容層と、を備え、
前記第１着弾工程では、前記シート部材の前記隔壁層の各開口部内に前記機能液を着弾させることを特徴とする液滴吐出方法。
【請求項４】
前記第１制御工程の後に、前記シート部材の前記隔壁層の各開口部内に前記機能液を着弾する第２着弾工程と、
前記第２着弾工程の後に、前記シート部材の前記隔壁層の各開口部内に着弾された前記機能液の第２着弾面積を測定し、前記複数のノズルから吐出された前記機能液の吐出量の分布を求める第２解析工程と、
前記分布から前記複数のノズルにおける前記吐出量が所定の適正量に近づくように前記複数の駆動素子に印加する電圧を調整する第２制御工程と、を少なくとも１回有することを特徴とする請求項３に記載の液滴吐出方法。
【請求項５】
請求項３または４に記載の液滴吐出方法を用いて、基材上に設けられた所定領域に前記機能液を配置してカラーフィルターを形成することを特徴とするカラーフィルターの製造方法。
【発明の詳細な説明】
【技術分野】
【０００１】
本発明は、液滴吐出装置、液滴吐出方法、及びカラーフィルターの製造方法に関するものである。
【背景技術】
【０００２】
近年、携帯電話機、携帯型コンピューターなどの電子機器の表示部に液晶装置、有機ＥＬ（Ｅｌｅｃｔｒｏ-Ｌｕｍｉｎｅｓｃｅｎｔ）装置等の電気光学装置が用いられている。これらの電気光学装置は、一般にフルカラー表示が行われる。例えば、液晶装置によるフルカラー表示は、液晶層によって変調される光をカラーフィルターに通すことによって表示される。このようなカラーフィルターは、液滴吐出法を用いた成膜技術によって、基板表面にインクをドット状に吐出することで形成される。
【０００３】
ところで、液滴吐出法を用いた成膜技術においては、複数のノズルのインク吐出量に僅かながらばらつきが生じる。そして、インク吐出量にばらつきを有した状態で描画した場合には、カラーフィルターに筋状の濃淡ムラ（スジムラ）が発生する場合がある。このようなスジムラは視認されやすく、カラーフィルターを介して表示される画像の画質が低下してしまう惧れがある。
【０００４】
このような問題点を解決するための技術が検討されており、例えば特許文献1では、複数の異なるインク吐出密度で被着色媒体を着色し、この着色部分の色濃度を測定して、複数の異なるインク吐出密度で着色された着色部分の各々の色濃度と、それに対応するインク吐出密度と、の関係を算出している。この関係に基づいて、所望の色濃度が得られるインク吐出密度になるように補正することにより、表示画像の画質の低下を抑えている。
【先行技術文献】
【特許文献】
【０００５】
【特許文献１】特開平１０−２６０３０６号公報
【発明の概要】
【発明が解決しようとする課題】
【０００６】
特許文献１では、複数の異なるインク吐出密度で着色された着色部分の各々の色濃度を、被着色媒体の着色部の吸光度により表している。この吸光度の測定の際に誤差が生じると、精度の高い補正ができず、画質の低下を抑制することが困難な場合がある。
【０００７】
一方、複数のノズルから吐出されたインクの重量を測定する方法が、従来用いられている。しかしながら、インクの重量を測定することは、測定が容易ではなく膨大な工数を要するので、生産効率に劣るため量産面で好ましくない。
【０００８】
また、液滴吐出法を用いた成膜技術においては、複数のノズルから吐出されるインクを用いて描画する場合、１ドット形成毎に所定の量（例えば、３０〜７０ｎｇ）のインクが吐出される。このため、吐出されたインクが濡れ拡がって隣り合う位置のインクの着弾領域に侵入してしまい、これに起因してインクの着弾面積にばらつきが生じる場合がある。
【０００９】
本発明はこのような事情に鑑みてなされたものであって、スジムラを目立たなくして画質の低下を抑制することが可能であり、さらに生産効率に優れる液滴吐出装置、液滴吐出方法、及びカラーフィルターの製造方法を提供することを目的とする。
【課題を解決するための手段】
【００１０】
上記の課題を解決するため、本発明の液滴吐出装置は、機能液を吐出させる複数のノズルと、前記複数のノズルに対応して設けられた複数の駆動素子と、を有する液滴吐出ヘッドと、前記複数のノズルから吐出された前記機能液が着弾されるシート部材を供給する供給リールと、前記供給リールから供給された前記シート部材を巻き取る巻取リールと、前記供給リールと前記巻取リールとの間の前記シート部材に対して前記複数のノズルから吐出された前記機能液の画像を撮影する撮像装置と、前記撮像装置によって撮影された前記画像を画像処理して前記機能液の前記シート部材上の着弾面積を測定し、前記複数のノズルから吐出された前記機能液の吐出量の分布を求める解析手段と、前記分布から前記複数のノズルにおける前記吐出量が所定の適正量に近づくように前記複数の駆動素子に印加する電圧を調整する制御手段と、を有し、前記シート部材は、シート基材と、前記シート基材上に設けられた前記機能液の着弾径よりも開口間隔の大きい複数の開口部を有する隔壁層と、前記隔壁層の各開口部内に設けられた顔料をバインダーで結着させた多孔質のインク受容層と、を備えることを特徴とする。
【００１１】
この構成によれば、撮像装置によりシート部材に対して複数のノズルから吐出されるインク（機能液）の着弾した画像が撮影される。そして、解析手段により複数のノズルから吐出されるインクの着弾面積に基づいて、複数のノズルから吐出されるインクの吐出量の分布が求められる。すると、制御手段により駆動素子への印加電圧は、複数のノズルにおけるインク吐出量が所定の適正量に近づくように調整される。つまり、制御手段により複数のノズルにおけるインク吐出量のばらつきが補正されることになる。このため、液滴吐出ヘッドの全ノズルから均一な量のインクを吐出することが可能となる。また、シート部材にはインクの着弾径よりも大きい開口間隔の複数の開口部を有する隔壁層が設けられている。このため、複数のノズルからインクを吐出して描画する場合に、１ドット形成毎に所定の量（例えば、３０〜７０ｎｇ）のインクが吐出されても、隔壁層に設けられた複数の開口部内にインクを着弾することによって、吐出されたインクが濡れ拡がって隣り合う位置のインクの着弾領域に侵入してしまうことが防止される。これにより、画像の表示に寄与する測定領域において、インクの着弾径よりも大きい開口間隔の複数の開口部を有する隔壁層が設けることによって、液滴吐出ヘッドの全ノズルにおけるインクの着弾面積を均一化することが可能となる。したがって、スジムラを目立たなくして画質の低下を抑制することができる。また、シート部材を構成するシート基材上の測定領域に設けられた隔壁層の複数の開口部内にインクを着弾させて、複数のノズルにおけるインクの着弾面積に基づいて、複数のノズルから吐出されるインクの吐出量の分布を求める方法は、従来の複数のノズルから吐出されたインクの重量を測定する方法に比べて、膨大な工数がかからないので生産効率に優れる。また、複数のノズルから吐出されたインクが着弾したシート部材が適宜搬送されるので、着弾面積の測定が効率よく行われる。
【００１２】
また、上記液滴吐出装置においては、前記隔壁層の高さが前記インク受容層の高さよりも高くなっていてもよい。
この構成によれば、複数のノズルからインクを吐出して描画する場合に、１ドット形成毎に所定の量（例えば、３０〜７０ｎｇ）のインクが吐出されても、インク受容層の高さよりも高い隔壁層の複数の開口部内にインクを着弾することによって、吐出されたインクが濡れ拡がって隣り合う位置のインクの着弾領域に侵入してしまうことが格段に防止される。これにより、画像の表示に寄与する測定領域において、液滴吐出ヘッドの全ノズルにおけるインクの着弾面積を格段に均一化することが可能となる。
【００１３】
本発明の液滴吐出方法は、機能液を吐出させる複数のノズルと、前記複数のノズルに対応して設けられた複数の駆動素子と、を有する液滴吐出ヘッドを用いた液滴吐出方法であって、シート部材上に前記機能液を着弾する第１着弾工程と、前記第１着弾工程の後に、前記シート部材上に着弾された前記機能液の第１着弾面積を測定し、前記複数のノズルから吐出された前記機能液の吐出量の分布を求める第１解析工程と、前記分布から前記複数のノズルにおける前記吐出量が所定の適正量に近づくように前記複数の駆動素子に印加する電圧を調整する第１制御工程と、を有し、前記シート部材は、シート基材と、前記シート基材上に設けられた前記機能液の着弾径よりも開口間隔の大きい複数の開口部を有する隔壁層と、前記隔壁層の各開口部内に設けられた顔料をバインダーで結着させた多孔質のインク受容層と、を備え、前記第１着弾工程では、前記シート部材の前記隔壁層の各開口部内に前記機能液を着弾させることを特徴とする。
この製造方法によれば、第１着弾工程によってシート部材を構成するシート基材上の隔壁層の各開口部内にインクが着弾されるので、吐出されたインクが濡れ拡がって隣り合う位置のインクの着弾領域に侵入してしまうことが防止される。これにより、シート部材の隔壁層の各開口部内におけるインクの着弾面積のばらつきが小さくなる。そして、第１着弾工程の後の第１解析工程により複数のノズルにおけるインクの吐出量の分布が求められる。そして、第１制御工程により複数のノズルにおけるインク吐出量が所定の適正量に近づくように調整される。これにより、複数のノズルにおけるインク吐出量のばらつきが補正される。このため、液滴吐出ヘッドの全ノズルから均一な量のインクを吐出するとともに、全ノズルにおけるインクの着弾面積を均一化することが可能となる。したがって、スジムラを目立たなくして画質の低下を抑制することができる。
【００１４】
また、上記液滴吐出方法においては、前記第１制御工程の後に、前記シート部材の前記隔壁層の各開口部内に前記機能液を着弾する第２着弾工程と、前記第２着弾工程の後に、前記シート部材の前記隔壁層の各開口部内に着弾された前記機能液の第２着弾面積を測定し、前記複数のノズルから吐出された前記機能液の吐出量の分布を求める第２解析工程と、前記分布から前記複数のノズルにおける前記吐出量が所定の適正量に近づくように前記複数の駆動素子に印加する電圧を調整する第２制御工程と、を少なくとも１回有することが望ましい。
この製造方法によれば、第１制御工程の後に、着弾工程と解析工程と制御工程とを複数回繰り返して行うことにより、複数のノズルにおけるインク吐出量のばらつきと、複数のノズルにおける着弾面積のばらつきと、が確実に調整される。このため、液滴吐出ヘッドの全ノズルから格段に均一な量のインクを吐出するとともに、全ノズルにおけるインクの着弾面積を格段に均一化することが可能となる。したがって、スジムラをより目立たなくして画質の低下を格段に抑制することができる。
【００１５】
本発明のカラーフィルターの製造方法は、上記の液滴吐出方法を用いて、基材上に設けられた所定領域に前記機能液を配置してカラーフィルターを形成することを特徴とする。
この製造方法によれば、上述したように液滴吐出ヘッドの全ノズルから均一な量のインクが吐出されるとともに、全ノズルにおけるインクの着弾面積が均一化されるので、スジムラの無い高品質なカラーフィルターを製造することができる。
【図面の簡単な説明】
【００１６】
【図１】本発明の液滴吐出装置の概略構成を示す模式図である。
【図２】液滴吐出ヘッドの概略構成を示す模式図である。
【図３】カラーフィルター基板上にカラーフィルターを形成する方法の説明図である。
【図４】液滴吐出方法の工程を示すフローチャートである。
【図５】水分の浸透前後のシート部材表面のインク受容層の状態を示す図である。
【図６】着弾面積のばらつきの補正前後のインクの配置状態を示す図である。
【図７】本発明の測定領域におけるインクの配置状態を示す図である。
【図８】インク吐出量のばらつき補正前後の液滴吐出ヘッドの吐出特性を示す図である。
【発明を実施するための形態】
【００１７】
以下、図面を参照して、本発明の実施の形態について説明する。かかる実施の形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等が異なっている。
【００１８】
以下の説明においては、図１中に示されたＸＹＺ直交座標系を設定し、このＸＹＺ直交座標系を参照しつつ各部材について説明する。ＸＹＺ直交座標系は、Ｘ軸及びＹ軸がワークステージ１６に対して平行な方向に設定され、Ｚ軸がワークステージ１６に対して直交する方向に設定されている。図１中のＸＹＺ座標系は、実際にはＸＹ平面が水平面に平行な面に設定され、Ｚ軸が鉛直上方向に設定される。
【００１９】
（液滴吐出装置）
図１は本発明に係る液滴吐出装置１の概略構成を示す模式図である。液滴吐出装置１は、例えばインクジェット方式によりカラーフィルター基板（基材）Ｐの所定領域にカラーフィルター材料（機能液）の液滴を吐出してカラーフィルター層を形成する装置である。また、液滴吐出装置１は、本発明の液滴吐出方法を行うものでもある。
【００２０】
液滴吐出装置１は、ワークステージ１６、液滴吐出ヘッド５、チューブ４４、タンク３３、シート部材搬送台１１、供給リール１２、巻取リール１３、面積計測用カメラ（撮像装置）１４、制御ユニット（制御手段）３１、解析ユニット（解析手段）３２、第１配線４１、第２配線４２、第３配線４３を備えている。
【００２１】
ワークステージ１６は、ステージ移動装置（図示略）によってＸ軸方向に移動可能に設置されている。また、ワークステージ１６は、搬送装置（図示略）から搬送されるカラーフィルター基板Ｐを、真空吸着機構（図示略）によりＸＹ平面上に保持する。
【００２２】
液滴吐出ヘッド５は、第１配線４１を介して制御ユニット３１に電気的に接続されている。液滴吐出ヘッド５は、複数のノズルＮ（図２参照）を有し、制御ユニット３１から入力される描画データや駆動制御信号に基づいて、カラーフィルター材料の液滴を吐出する。また、液滴吐出ヘッド５は、カラーフィルター材料のＲ（赤）、Ｇ（緑）、Ｂ（青）に対応して設けられている。また、液滴吐出ヘッド５は、チューブ４４を介してタンク３３と連結されている。
【００２３】
液滴吐出ヘッド５は、Ｙ軸方向及びＺ軸方向に対してポールネジまたはリニアガイド等の軸受け機構（図示略）を備えている。そして、液滴吐出ヘッド５は、制御ユニット３１から入力されるＹ座標及びＺ座標を示す位置制御信号に基づいて、Ｙ軸方向及びＺ軸方向に移動可能になっている。
【００２４】
チューブ４４は、タンク３３と液滴吐出ヘッド５とを連結するカラーフィルター材料の供給用チューブである。タンク３３は、Ｒ（赤）用のカラーフィルター材料、Ｇ（緑）用のカラーフィルター材料、Ｂ（青）用のカラーフィルター材料、の３色のカラーフィルター材料を貯蔵している。タンク３３は、３色のカラーフィルター材料を貯蔵するとともに、チューブ４４を介して３色に対応する液滴吐出ヘッド５にカラーフィルター材料を供給する。
【００２５】
シート部材搬送台１１は、搬送台移動装置（図示略）によってＸ軸方向に移動可能になっている。シート部材搬送台１１は、供給リール１２から供給される帯状のシート部材１５を搬送するシート部材１５の搬送台である。供給リール１２から供給されたシート部材１５は、巻取リール１３によって巻き取られる。
【００２６】
シート部材１５は、液滴吐出ヘッド５の複数のノズルＮから吐出されたインク（機能液）のドット状の着弾面積が記録可能な記録媒体である。シート部材１５は、インクが所定の間隔で着弾される測定領域Ｔａと、測定領域Ｔａ外に設けられインクが捨て打ちされるダミー領域Ｔｂと、に区画されている。ここで、測定領域Ｔａは、後述する画素ＰＸ毎のカラーフィルター層ＣＦに対応する領域であり、表示に寄与する領域である。また、ダミー領域Ｔｂは、測定領域Ｔａに隣接して設けられた表示に寄与しない領域である。このダミー領域Ｔｂは、インク吐出量が不安定な描画開始からインク吐出量が安定するまでのしばらくの間、インクを複数滴吐出して捨て打ちするための領域でもある。
【００２７】
シート部材１５としては、例えばロール紙等の記録紙を用いることができる。なお、シート部材１５としては、ロール紙に代えて例えばガラス基板等の撥水性を有する基板を用いることもできる。また、その他のシート部材１５としては、例えば、紙やプラスチックフィルム等のシート基材にインク受容層を設けたシートを用いることができる。
【００２８】
本実施形態では、シート部材１５として、プラスチックフィルム（シート基材）上の測定領域Ｔａに複数の開口部を有する隔壁層を設け、この複数の開口部内にインク受容層を設けたシートを用いる（図７参照）。なお、インク受容層については後述する（図５参照）。
【００２９】
また、シート部材１５は、生産前、つまりカラーフィルター基板Ｐ上への描画前に、液滴吐出ヘッド５の複数のノズルＮの吐出状態（ノズル抜け、曲がり）を確認するために用いられるものでもある。
【００３０】
面積計測用カメラ１４は、シート部材搬送台１１上のシート部材１５の記録面（上面）に対向する位置に配置されている。面積計測用カメラ１４は、複数のノズルＮからシート部材１５の測定領域Ｔａに吐出されたインクの着弾面積を撮影するカメラである。面積計測用カメラ１４は、第２配線４２を介して解析ユニット３２に電気的に接続されている。面積計測用カメラ１４は、撮影したインクの着弾面積の画像データを解析ユニット３２に出力する。
【００３１】
解析ユニット３２は、面積計測用カメラ１４によって撮影されたインクの着弾面積の画像データを画像処置して着弾面積を測定し、得られた着弾面積の測定データに基づいて複数のノズルＮにおけるインク吐出量の分布を求める機能を有するものである。解析ユニット３２は、第３配線４３を介して制御ユニット３１に電気的に接続されている。解析ユニット３２は、複数のノズルＮにおけるインク吐出量の分布の測定データを制御ユニット３１に出力する。
【００３２】
制御ユニット３１は、解析ユニット３２から入力される複数のノズルＮにおけるインク吐出量の測定データに基づいて、駆動素子ＰＺ（図２参照）に印加する電圧を調整する。具体的には、制御ユニット３１は、複数のノズルＮにおけるインク吐出量が所定の適正量に近づくように、駆動素子ＰＺに印加する電圧を調整する。そして、駆動素子ＰＺにより複数のノズルＮにおけるインク吐出量のばらつきが調整される。つまり、複数のノズルＮにおけるインク吐出量のばらつきが補正される。
【００３３】
複数のノズルＮにおけるインク吐出量のばらつきが補正された後、液滴吐出ヘッド５の複数のノズルＮからカラーフィルター基板Ｐ上の所定の位置にカラーフィルター材料の液滴が吐出される。
【００３４】
図２は液滴吐出ヘッド５の概略構成を示す模式図である。図２（ａ）は液滴吐出ヘッド５をワークステージ１６から見た平面図、図２（ｂ）は、液滴吐出ヘッド５の部分斜視図、図２（ｃ）は液滴吐出ヘッド５の１ノズルの部分断面図である。
【００３５】
図２（ａ）に示すように、液滴吐出ヘッド５は、Ｙ軸方向に配列された複数（例えば１８０個）のノズルＮ１〜Ｎ１８０を備えている。ノズルＮ１〜Ｎ１８０によってノズル列ＮＡが形成されている。図２（ａ）では１列分のノズルを示しているが、液滴吐出ヘッド５に設けるノズル数及びノズル列数は任意に変更可能であり、Ｙ軸方向に配列した１列分ノズルをＸ軸方向に複数列設けても良い。
【００３６】
図２（ｂ）に示すように、液滴吐出ヘッド５は、チューブ４４と連結される材料供給孔２０ａが設けられた振動板２０と、ノズルＮ１〜Ｎ１８０が設けられたノズルプレート２１と、振動板２０とノズルプレート２１との間に設けられた液溜まり２２と、複数の隔壁２３と、複数の収容室２４とを備えている。振動板２０上には、各ノズルＮ１〜Ｎ１８０に対応して駆動素子ＰＺ１〜ＰＺ１８０が配置されている。駆動素子ＰＺ１〜ＰＺ１８０は、例えばピエゾ素子である。
【００３７】
液溜まり２２には、材料供給孔２０ａを介して供給される液状のカラーフィルター材料が充填されるようになっている。収容室２４は、振動板２０と、ノズルプレート２１と、１対の隔壁２３とによって囲まれるようにして形成されている。また、収容室２４は、各ノズルＮ１〜Ｎ１８０に１対１に対応して設けられている。また、各収容室２４には、一対の隔壁２３の間に設けられた供給口２４ａを介して、液溜まり２２からカラーフィルター材料が導入されるようになっている。
【００３８】
図２（ｃ）に示すように、駆動素子ＰＺ１は、圧電材料２５を一対の電極２６で挟持したものである。この駆動素子ＰＺ１は、一対の電極２６に駆動信号を印加すると圧電材料２５が収縮するよう構成されたものである。そして、このような駆動素子ＰＺ１が配置されている振動板２０は、一対の電極２６に駆動信号を印加すると駆動素子ＰＺ１と一体になって同時に外側（収容室２４の反対側）へ撓曲するようになっており、これによって収容室２４の容積が増大するようになっている。
【００３９】
したがって、収容室２４内に増大した容積分に相当するカラーフィルター材料が、液溜まり２２から供給口２４ａを介して流入する。また、このような状態から駆動素子ＰＺ１への駆動信号の印加を停止すると、駆動素子ＰＺ１と振動板２０はともに元の形状に戻り、収容室２４も元の容積に戻る。これにより、収容室２４内のカラーフィルター材料の圧力が上昇し、ノズルＮ１からカラーフィルター基板Ｐに向けてカラーフィルター材料の液滴Ｌが吐出される。また、駆動素子ＰＺ１を用いることにより、収容室２４内に微振動を生じさせてインク吐出量を精度よく調整することができる。
【００４０】
図３は、液滴吐出ヘッド５を用いてカラーフィルター基板Ｐ上にカラーフィルター層（カラーフィルター）ＣＦを形成する方法の説明図である。図３（ａ）は、インクの吐出対象物であるカラーフィルター基板Ｐの概略平面図である。図３（ｂ）は、カラーフィルター基板Ｐの部分拡大平面図である。
【００４１】
図３（ａ）において、ガラス、プラスチック等によって形成された大面積のカラーフィルター基板Ｐの表面には複数のパネル領域ＣＡが設定されている。各パネル領域ＣＡは、互いに分離（切断）されて個々のカラーフィルター基板として提供される。各パネル領域ＣＡの内部には、図３（ｂ）に示すように、ドット状に配列された複数の画素ＰＸ（所定領域）が設けられている。画素ＰＸは各パネル領域ＣＡ内にマトリクス状に配列されており、それぞれの画素ＰＸ毎にカラーフィルター層（着色層）ＣＦが形成される。
【００４２】
図３（ｂ）の図示上下方向（矢印Ａ１及び矢印Ａ２で示す方向）を主走査方向とし、主走査方向と直交する方向（図示左右方向）を副走査方向として、液滴吐出ヘッド５をカラーフィルター基板Ｐ上に配置する。そして、カラーフィルター基板Ｐを液滴吐出ヘッド５に対して主走査方向及び副走査方向に相対的に移動（走査）させながら、液滴吐出ヘッド５の複数のノズルＮから着色材料を含むインク（カラーフィルター材料）を吐出させ、カラーフィルター基板Ｐ上の各画素ＰＸにカラーフィルター層ＣＦを形成する。
【００４３】
液滴吐出ヘッド５の走査は、１つのパネル領域ＣＡに関して複数回行う。例えば、主走査方向に液滴吐出ヘッド５を走査した後、副走査方向に液滴吐出ヘッド５を移動（走査）し、再度主走査方向に走査を行う。１つのパネル領域ＣＡの左端から右端まで移動（副走査）したら、再びパネル領域ＣＡの左端に戻り、既に吐出を行った位置とは若干異なる位置で主走査方向に走査を行う。そして、このような走査を複数回行うことによって、パネル領域ＣＡ内の全ての画素ＰＸに所望の膜厚のカラーフィルター層ＣＦを形成する。
【００４４】
なお、図３（ｂ）において液滴吐出ヘッド５が副走査方向に対して斜めに傾いているのは、液滴吐出ヘッド５のノズルＮのピッチを画素ＰＸのピッチに合わせるためである。ノズルＮのピッチと画素ＰＸのピッチとが所定の対応関係を満たして設定されていれば、液滴吐出ヘッド５を斜めに傾ける必要はない。
【００４５】
カラーフィルター層ＣＦは、Ｒ、Ｇ、Ｂの各色をいわゆるストライプ配列、デルタ配列、モザイク配列等といった適宜の配列形態で配列することによって形成される。したがって、図３（ｂ）に示すインクの吐出工程においては、Ｒ、Ｇ、Ｂのカラーフィルター材料を吐出する液滴吐出ヘッド５を、Ｒ、Ｇ、Ｂの３色分だけ予め用意する。そして、これらの液滴吐出ヘッド５を順次に用いて１つのカラーフィルター基板Ｐ上にＲ、Ｇ、Ｂの３色のカラーフィルター層ＣＦの配列を形成する。
【００４６】
ところで、一般的に液滴吐出ヘッドにおいては、複数のノズルＮから吐出されるインクを用いて描画する場合、１ドット形成毎に所定の量（例えば、３０〜７０ｎｇ）のインクが吐出される。このため、吐出されたインクが濡れ拡がって隣り合う位置のインクの着弾領域に侵入してしまう場合がある。すると、吐出されたインクの着弾面積にばらつきが生じることになる。（図６（ａ）参照）。このように、描画時に吐出されたインクが隣り合うインクの着弾領域に侵入すると、これに起因してカラーフィルター基板Ｐ上へのインクの配置量（着弾面積）がばらついてしまい、カラーフィルターにスジムラを発生させる原因となってしまう。
【００４７】
図６は、複数のノズルＮにおけるインクの着弾面積のばらつきの補正前後のシート部材１５上におけるインクの配置状態を示す図である。図６（ａ）は着弾面積のばらつきの補正前におけるインクの配置状態を示している。また、図６（ｂ）は着弾面積のばらつきの補正後におけるインクの配置状態を示している。図６において、Ｍ（Ｍ１〜Ｍ５）は、上述したＹ軸方向に配列された複数のノズルＮに対応するインクの配置状態を示している。また、ＭＡ（ＭＡ１〜ＭＡ５）は、上述したＹ軸方向に配列した１列分ノズルがＸ軸方向に複数列設けられた複数のノズル列ＮＡに対応するインクの配置列を示している。図６（ａ）に示すように、複数のノズルＮ及び複数のノズル列ＮＡに対応するインクの配置状態を見ると、全体的に着弾面積のばらつきが存在することが確認される。
【００４８】
そこで、本発明の液滴吐出方法では、補正前（生産前）となるカラーフィルター基板Ｐ上への描画前に、液滴吐出ヘッド５の駆動素子ＰＺに印加する電圧を調整し、複数のノズルＮにおけるインクの吐出特性を調整する工程を設けるとともに、シート部材を構成するシート基材上の測定領域に設けられた隔壁層の複数の開口部内にインクを着弾させて、複数のノズルＮにおけるインクの着弾面積を調整する工程を設けている。以下、本発明の液滴吐出方法について一例を挙げて説明する。
【００４９】
（液滴吐出方法）
図４は、本発明の液滴吐出方法の工程を示すフローチャートである。本発明の液滴吐出方法は、装置を所定の位置に配置して装置の位置合わせを行う「装置の位置合わせ工程」（ステップＳ１）と、シート部材１５のダミー領域Ｔｂにインクを捨て打ちする「第１捨て打ち工程」（ステップＳ２）と、駆動素子ＰＺに印加する電圧を一定にしてインクをシート部材１５の測定領域Ｔａにおける複数の開口部内に着弾する「第１着弾工程」（ステップＳ３）と、第１着弾工程の後にシート部材１５の測定領域Ｔａに着弾された第１着弾面積を測定し、複数のノズルＮにおけるインク吐出量の分布を求める「第１解析工程」（ステップＳ４）と、シート部材１５を巻き取る「シート部材巻取工程」（ステップＳ５）と、複数のノズルＮにおけるインク吐出量が所定の適正量に近づくように駆動素子ＰＺに印加する電圧を調整する「第１制御工程」（ステップＳ６）と、を有する。
【００５０】
先ず、装置を所定の位置に配置して装置の位置合わせを行う（図４のステップＳ１）。具体的には、シート部材搬送台１１をワークステージ１６に向かってＸ軸方向に移動させ、液滴吐出ヘッド５の直下に配置する。これにより、シート部材搬送台１１上のシート部材１５が液滴吐出ヘッド５の複数のノズルＮに対向するように配置される。このとき、シート部材１５のダミー領域Ｔｂが液滴吐出ヘッド５の複数のノズルＮに対向するように配置する。
【００５１】
次に、駆動素子ＰＺに印加する電圧を一定にして、インクをシート部材１５のダミー領域Ｔｂに吐出して捨て打ちする。具体的には、液滴吐出ヘッド５をシート部材１５に対して複数のノズルＮの配列方向（Ｙ軸方向）と交差する主走査方向（Ｘ軸方向）に相対移動しながら、駆動素子ＰＺに印加する電圧を一定にして、シート部材１５のダミー領域Ｔｂに複数のノズルＮの各ノズルからインクを複数滴吐出して捨て打ちする。これにより、インク吐出量が不安定な描画開始からインク吐出量が安定化する所定の描画数まで、インクをシート部材１５のダミー領域Ｔｂに吐出して捨て打ちできる。なお、ダミー領域Ｔｂへのインクの捨て打ちは、シート部材１５を効率的に利用する点から、液滴吐出ヘッド５を停止した状態で、インクが複数滴重なるように連続して吐出して行ってもよい。
【００５２】
次に、上述の第１捨て打ち工程と同様に、駆動素子ＰＺに印加する電圧を一定にして、インクをシート部材１５の測定領域Ｔａに所定の間隔で着弾させる（図４のステップＳ３）。具体的には、液滴吐出ヘッド５をシート部材搬送台１１に沿ってＹ軸方向に移動させる。これにより、シート部材１５の測定領域Ｔａが、液滴吐出ヘッド５の複数のノズルＮに対向するように配置される。そして、上述の第１捨て打ち工程によって、インク吐出量が不安定な状態から安定化されているので、インク吐出量が安定な状態で測定領域Ｔａに着弾される。
【００５３】
また、インクは、カラーフィルター層ＣＦにならって、ストライプ配列、デルタ配列、モザイク配列等といった適宜の配列形態で着弾するのがよい。これにより、液滴吐出ヘッド５の複数のノズルＮにおける補正前（シート部材１５への吐出時）のインクの吐出状態と、補正後（カラーフィルター基板Ｐへの吐出時）のインクの吐出状態と、が確実に整合するようになる。
【００５４】
また、インクをシート部材１５に着弾させる際は、複数回に分けて着弾させるのがよい。具体的には、先ず、第１のインクをシート部材１５上の所定の領域に着弾させる。次に、第２のインクを第１のインクの着弾されていない領域に着弾させる。これにより、インクをシート部材１５へ複数回繰り返して着弾できるので、シート部材１５を無駄なく有効に利用することができる。
【００５５】
本実施形態では、従来の複数のノズルから吐出されたインクの重量を測定する方法に対して、シート部材１５を構成するシート基材１５ａ上の測定領域Ｔａに設けられた隔壁層１５ｂの複数の開口部１５ｃ内にインクを着弾させて、複数のノズルＮにおけるインクの着弾面積に基づいて、複数のノズルＮから吐出されるインクの吐出量の分布を求める方法を用いている。これにより、従来のようにインクの重量を測定する必要が無くなり、膨大な工数がかからなくなる。
【００５６】
また、シート部材１５の測定領域Ｔａにおける複数の開口部１５ｃ内にインクが着弾されるので、シート部材１５の測定領域Ｔａにおけるインクの着弾面積のばらつきが小さくなる。これは、測定領域Ｔａに設けられた隔壁層１５ｂの複数の開口部１５ｃ内にインクを着弾することによって、吐出されたインクが濡れ拡がって隣り合う位置のインクの着弾領域に侵入してしまうことが防止されることにより、シート部材１５表面のインクに対する浸透性が均一化されることによる。以下、シート部材１５のインクに対する浸透性について、水分の吸湿前後のシート部材１５のインク受容層の状態を挙げて説明する。
【００５７】
図５は、水分の吸湿前後のシート部材１５のインク受容層の状態を示す図である。図５（ａ）は、水分の吸湿前のインク受容層５０ａの状態を示す図である。また、図５（ｂ）は、水分の吸湿後のインク受容層５０ｂの状態を示す図である。
【００５８】
図５（ａ）及び図５（ｂ）に示すように、インク受容層５０ａ，５０ｂは、顔料５１とバインダー５２とを複数含んで構成される。顔料５１はバインダー５２に包含されている。また、インク受容層５０ａ，５０ｂは、複数のバインダー５２の間に、多数の空隙５３を有する多孔質構造となっている。インク受容層５０ｂは、インク受容層５０ａよりも空隙５３の大きさが小さくなっている。これは、インク受容層を構成する顔料５１及びバインダー５２が吸湿によって膨張したことによる。
【００５９】
多孔質のインク受容層に使用可能な顔料としては、例えば、軽質炭酸カルシウム、重質炭酸カルシウム、炭酸マグネシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、アルミナ、アルミナ水和物、水酸化アルミニウム、リトポン、ゼオライト、加水ハロサイト、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料が挙げられる。インク受容層中には、これらのうち１種を単独で含有させてもよく、２種以上を併用してもよい。
【００６０】
また、上記顔料の結着材としてインク受容層に含有されるバインダーとしては、インクと親和性を有する水溶性あるいは非水溶性の高分子化合物を含有させることができる。水溶性高分子化合物としては、例えば、メチルセルロース、メチルヒドロキシエチルセルロース、メチルヒドロキシプロピルセルロース、及びヒドロキシエチルセルロース等のセルロース系接着剤、澱粉及びその変性物、ゼラチン及びその変性物、カゼイン、プルラン、アラビアゴム、及びアルブミン等の天然高分子樹脂またはこれらの誘導体、ポリビニルアルコール及びその変性物、スチレン−ブタジエン共重合体、スチレン−アクリル共重合体、メチルメタクリレート−ブタジエン共重合体、エチレン−酢酸ビニル共重合体等のラテックスやエマルジョン類、ポリアクリルアミド、ポリビニルピロリドン等のビニルポリマー、ポリエチレンイミン、ポリプロピレングリコール、ポリエチレングリコール、及び無水マレイン酸またはその共重合体が挙げられる。
【００６１】
非水溶性高分子化合物としては、例えば、エタノール、２−プロパノール等のアルコール類やこれらのアルコール類と水との混合溶媒に溶解する非水溶性接着剤が挙げられる。このような非水溶性接着剤としては、ビニルピロリドン／酢酸ビニル共重合体、ポリビニルブチラール、ポリビニルホルマール等のアセタール樹脂が挙げられる。
【００６２】
ところで、一般にシート部材１５はインク受容層に水分が浸透しないように、所定の雰囲気下で保管される。しかしながら、インク受容層を構成する顔料５１やバインダー５２は良好な吸湿性を有している。このため、液滴吐出ヘッド５の複数のノズルＮから吐出されるインクを用いて描画する場合、１ドット形成毎に所定の量（例えば、３０〜７０ｎｇ）のインクが吐出されると、吐出されたインクが顔料５１やバインダー５２へ浸透して濡れ拡がりやすい。吐出されたインクが顔料５１やバインダー５２へ浸透して濡れ拡がると、隣り合う位置のインクの着弾領域に侵入してしまう場合がある。すると、顔料５１やバインダー５２へのインクの浸透によって、シート部材１５表面の浸透性が不均一になる。シート部材１５表面の浸透性が不均一になると、シート部材１５におけるインクの着弾面積の測定において不具合を生じさせる原因となる。
【００６３】
そこで、本発明の液滴吐出装置１では、インクを着弾させる前に、予めシート部材１５の測定領域Ｔａにインク受容層を区画する複数の開口部を有する隔壁層を設けている。そして、測定領域Ｔａの複数の開口部内にインクを着弾させることで、吐出されたインクが濡れ拡がって隣り合う位置のインクの着弾領域に侵入してしまうことを防止し、インク受容層を構成する複数のバインダー５２の間に存在する複数の空隙５３の大きさを全体的に均一化することにより、表面の浸透性を均一化している。これにより、シート部材１５におけるインクの着弾面積の測定を精度良く行うことが可能になる。つまり、図６（ａ）の初期状態（補正前）において複数のノズルＮ間で生じていたインクの着弾面積のばらつきを、図６（ｂ）の補正後に示すように略平均化することができる。以下、シート部材１５の構成について、シート部材１５の測定領域Ｔａにおけるインクの配置状態を挙げて説明する。
【００６４】
図７は、本発明におけるシート部材１５の測定領域Ｔａにおけるインクの配置状態を示す図である。図７（ａ）は、シート部材１５の測定領域Ｔａにおけるインクの配置状態を示す平面図である。図７（ｂ）は、図７（ａ）のＫ−Ｋ線に沿った断面図である。図７において、符号Ｄは吐出されたインクの着弾径である。また、符号Ｗａはインクの着弾間隔、符号Ｗｂは開口間隔である。また、符号Ｈａはインク受容層の高さ、符号Ｈｂは隔壁層の高さである。なお、インクの着弾間隔Ｗａは、隣り合うインクの中心間の距離である。なお、開口間隔Ｗｂは、開口部１５ｃに隣接する隔壁層１５ｂのリブの中心間の距離である。なお、インク受容層の高さＨａは、シート基材１５ａ上面から受容層５０上面までの距離である。なお、隔壁層の高さＨｂは、シート基材１５ａ上面から隔壁層１５ｂ上面までの距離である。
【００６５】
図７（ａ）に示すように、シート部材１５は、インクが着弾される領域の下地基材となるシート基材１５ａと、シート基材１５ａ上にインクが所定の着弾間隔Ｗａで着弾される測定領域Ｔａと、ダミー領域Ｔｂと、シート基材１５ａ上の測定領域Ｔａ内に設けられ複数の開口部１５ｃを有する隔壁層１５ｂと、アライメントマーク７０と、を備えて構成されている。複数の開口部１５ｃの開口間隔Ｗｂは、インクの着弾径Ｄよりも大きくなっている。アライメントマーク７０は、シート基材１５ａ上の対向する２辺の所定の位置に設けられている。このアライメントマーク７０により、シート基材１５ａ上に隔壁層１５ｂが精度よく形成される。また、隔壁層１５ｂの複数の開口部１５ｃに精度よくインクを打ち込むことができる。
【００６６】
図７（ｂ）に示すように、隔壁層１５ｂは、隔壁層の高さＨｂがインク受容層の高さＨａよりも高くなるように形成されている（Ｈｂ＞Ｈａ）。これにより、複数のノズルＮからインクを吐出して描画する場合に、１ドット形成毎に所定の量（例えば、３０〜７０ｎｇ）のインクが吐出されても、吐出されたインクが濡れ拡がって隣り合う位置のインクの着弾領域に侵入してしまうことが格段に防止される。具体的には、複数のノズルＮから吐出されたインクが開口部１５ｃ内に着弾されると、上述のようにインク受容層５０が良好な吸湿性を有していることから、インク溶媒６０ａがインク受容層５０内部に浸透しまう。しかしながら、シート基材１５ａ上にはインク受容層５０を区画する隔壁層１５ｂがインク受容層の高さＨａよりも高く設けられているので、インク溶媒６０ａがインク受容層５０内部に浸透しても、隣り合う位置のインク受容層５０に浸透することが確実に防止される。
【００６７】
隔壁層１５ｂとしては、例えばレーザー加工によって作製されたレーザーメタルマスクを用いることができる。このレーザーメタルマスクをシート基材１５ａに貼り合わせて、開口部１５ｃ内にインク受容層５０を配置することによりシート部材１５を作製することができる。
【００６８】
また、隔壁層１５ｂの形成材料としては、耐薬品性に優れた材料を用いることもできる。耐薬品性に優れた材料としては、例えば、熱硬化性アクリル樹脂、メラミン樹脂、エポキシ樹脂、アルキド樹脂、不飽和ポリエステル樹脂、ポリイミド樹脂が挙げられる。
【００６９】
熱硬化性アクリル樹脂としては、アクリル酸、メタクリル酸またはこれらのエステル化物に、スチレン、ビニルトルエン、酢酸ビニル、アクリロニトリルを共重合したもの、すなわち、一般にアクリル樹脂と呼ばれるものに、硬化剤としてイソシアネート化合物、メラミン樹脂、エポキシ樹脂を用いるもの、または上記のアクリル樹脂にＮ−メチロールアクリルアミド、アルコシキ−Ｎ−メチロールアクリルアミド等のような官能性モノマーを共重合したもの、が挙げられる。
【００７０】
メラミン樹脂としては、アミノ基（−ＮＨ２）の水素が１〜６個メチロール化されたメラミンや、その数量体からなる水溶性メラミン樹脂、あるいはメチロール基をＣ１〜Ｃ４の脂肪族アルコールでエステル化したメラミンや、その数量体からなる油溶性メラミン樹脂、あるいはポリエステル樹脂、アクリル樹脂をメラミン樹脂で架橋したもの、が挙げられる。
【００７１】
エポキシ樹脂としては、ビスフェノールＡとエピクロロヒドリンの反応で得られるオリゴマーまたはポリマーであるビスフェノールＡ型エポキシ樹脂、あるいはノボラック樹脂とエピクロロヒドリンの反応で得られるノボラック型エポキシ樹脂、あるいはテトラブロモビスフェノールＡまたは臭素化フェノールノボラックとエピクロロヒドリンの反応で得られるオリゴマーまたはポリマーである臭素化エポキシ樹脂、あるいはカルボン酸とエピクロロヒドリンのグリシジルアミン型エポキシ樹脂、あるいはアミン類および／またはアミノフェノール類とエピクロロヒドリンのグリシジルアミン型エポキシ樹脂、あるいは２重結合を持つ脂環式化合物を過酸で酸化して得られる脂環族エポキシ樹脂、が挙げられる。
【００７２】
アルキド樹脂としては、脂肪酸と多塩基酸、多価アルコールからなる脂肪酸変性アルキド樹脂、あるいは脂肪酸を含まないオイルフリーアルキド樹脂、不飽和脂肪酸のラジカル開始剤により架橋するもの、あるいはポリイソシアナート、またはメラミンによる架橋によって硬化するもの、が挙げられる。
【００７３】
不飽和ポリエステル樹脂としては、無水マレイン酸等の不飽和２塩基酸またはその誘導体と多価アルコールからなるポリエステルを液状ビニルモノマーに溶解したもの、あるいはエポキシ樹脂にアクリル酸やメタクリル酸等の不飽和１塩基酸を付加した化合物を液状ビニルモノマーに溶解したもの（ビニルエステル樹脂）、が挙げられる。
【００７４】
ポリイミド樹脂としては、テトラカルボン酸２無水物とジアミンの重縮合で得られる重縮合型ポリイミド、またはマレイミドやビスマレイミドの付加重合で得られるもの、が挙げられる。
【００７５】
感光性樹脂で耐薬品性に優れた樹脂としては、光架橋性アクリル樹脂、感光性ポリイミド、ナフトキノンジアミドを感光基として含むノボラック樹脂、が挙げられる。
【００７６】
光架橋性アクリル樹脂としては、アクリル樹脂に多官能アクリレートやモノマーやオリゴマー、および光開始剤を添加した光硬化型アクリル樹脂が挙げられる。
【００７７】
感光性ポリイミドのうち、光硬化性ポリイミドとしては、テトラカルボン酸とジアミンを組み合わせて双極性非プロトン性溶剤中で一般的に製造されるポリイミド前駆体のワニスにメタクリル基等の感光基を有しているアミノ化合物を混合したもの、光により２量化または重合可能な基をエステル結合で導入したもの、Ｎ−メチロールアクリドアミド化合物をポリイミド前駆体のワニスに混合したもの、あるいはアクリルモノマーをポリイミド前駆体のワニスに混合したもの、が挙げられる。
【００７８】
感光性ポリイミドのうち、光可溶性ポリイミドとしては、ポリアミド酸に光分解性の感光基をエステル結合で導入したもの、ポリアミド酸にナフトキノンジアジド化合物を添加したもの、が挙げられる。
【００７９】
ナフトキノンジアミドを感光基として含むノボラック樹脂としては、例えばポリヒドロキシベンゾフェノンとｏ−ナフトキノンジアジドスルホン酸のエステルをクレゾールノボラック樹脂に混合したもの、あるいはフェノールノボラック樹脂のナフトキノン−１，２−ジアジド−５−スルホン酸エステル、が挙げられる。
【００８０】
一方、インク受容層５０上面には、ドット状のインク溶質６０が残る。複数の開口部１５ｃの開口間隔Ｗｂは、このドット状のインク溶質６０の径、つまりインクの着弾径Ｄよりも大きくなっている（Ｗｂ＞Ｄ）。例えば、インクの着弾径Ｄが３０〜５０μｍであるとすると、隔壁層１５ｂの複数の開口部１５ｃは、開口間隔Ｗｂが１００〜１５０μｍになるように設計される。このようにして、液滴吐出ヘッド５の複数のノズルＮからシート部材１５の測定領域Ｔａに吐出されたインクの着弾径Ｄが均一にされる。
【００８１】
次に、シート部材１５の測定領域Ｔａに着弾されたインクの着弾面積を測定し、その平均の面積を各ノズルＮから吐出されたインクの着弾面積とし、得られた着弾面積の測定データに基づいて複数のノズルＮにおけるインク吐出量の分布を求める（図４のステップＳ４）。具体的には、シート部材１５の測定領域Ｔａの上面に対向する位置に配置された面積計測用カメラ１４により、複数のノズルＮからシート部材１５に吐出されたインクの着弾面積を撮影する。このとき、面積計測用カメラ１４のレンズの倍率は、測定精度と測定時間の点から、例えば４〜１０倍に設定するのがよい。また、インクの着弾面積を測定する際のＮ数は、測定精度の点から、例えばＮ＝２０〜３０に設定するのがよい。
【００８２】
面積計測用カメラ１４によって撮影されたインクの着弾面積の画像データは、解析ユニット３２に出力される。そして、解析ユニット３２よって複数のノズルＮにおけるインクの着弾面積が測定されるとともに、着弾面積の測定データに基づいて複数のノズルＮにおけるインク吐出量の分布が求められる。複数のノズルＮにおけるインク吐出量の分布データは制御ユニット３１に出力される。
【００８３】
次に、シート部材１５を巻き取る（図４のステップＳ５）。具体的には、巻取リール１３によってインクが着弾されたシート部材１５が巻き取られる。つまり、供給リール１２からインクが着弾されていない新たなシート部材１５が供給される。
【００８４】
次に、駆動素子ＰＺに印加する電圧が調整される（図４のステップＳ６）。具体的には、複数のノズルＮにおけるインク吐出量が所定の適正量に近づくように制御ユニット３１によって複数のノズルＮ毎に備えられた駆動素子ＰＺに印加する電圧が調整される。
【００８５】
図８は、インク吐出量のばらつきの補正前後の液滴吐出ヘッドの吐出特性を示す図である。図８において、横軸はノズル列ＮＡのノズル番号１〜１８０、縦軸は各ノズル番号に対応するノズルの吐出量を示している。図８に示すように、インク吐出量のばらつきの補正前の実線を見ると、両端部と中央部のノズルにおけるインク吐出量が相対的に多くなる傾向があることがわかる。
【００８６】
例えば、初期状態（図８中の補正前の実線参照）におけるインク吐出量が相対的に少ない領域のノズルに対応する駆動素子ＰＺに対して所定の電圧を印加する。一方、初期状態におけるインク吐出量が相対的に多い領域のノズルに対応する駆動素子ＰＺに対しては電圧を印加しない。
【００８７】
このようにして、駆動素子ＰＺによって複数のノズルＮ間で生じている吐出量のばらつきが調整される。これにより、複数のノズルＮにおけるインクの吐出量のばらつきが補正される。つまり、初期状態（補正前の実線）において複数のノズルＮ間で生じていたインク吐出量のばらつきを、補正後の実線に示すように略平均化することができる。
【００８８】
本実施形態の液滴吐出装置１によれば、面積計測用カメラ１４によりシート部材１５における測定領域Ｔａに対して複数のノズルＮから吐出されるインクの着弾した画像が撮影される。そして、解析ユニット３２により複数のノズルＮから吐出されるインクの着弾面積に基づいて、複数のノズルＮから吐出されるインクの吐出量の分布が求められる。すると、制御ユニット３１により駆動素子ＰＺへの印加電圧は、複数のノズルＮにおけるインク吐出量が所定の適正量に近づくように調整される。つまり、制御ユニット３１により複数のノズルＮにおけるインク吐出量のばらつきが補正されることになる。このため、液滴吐出ヘッド５の全ノズルＮから均一な量のインクを吐出することが可能となる。また、シート部材１５の測定領域Ｔａにはインクの着弾径Ｄよりも大きい開口間隔Ｗｂの複数の開口部１５ｃを有する隔壁層１５ｂが設けられている。このため、複数のノズルＮからインクを吐出して描画する場合に、１ドット形成毎に所定の量（例えば、３０〜７０ｎｇ）のインクが吐出されても、隔壁層１５ｂに設けられた複数の開口部１５ｃ内にインクを着弾することによって、吐出されたインクが濡れ拡がって隣り合う位置のインクの着弾領域に侵入してしまうことが防止される。これにより、画像の表示に寄与する測定領域Ｔａにおいて、液滴吐出ヘッド５の全ノズルＮにおけるインクの着弾面積を均一化することが可能となる。したがって、スジムラを目立たなくして画質の低下を抑制することができる。また、シート部材１５を構成するシート基材１５ａ上の測定領域Ｔａに設けられた隔壁層１５ｂの複数の開口部１５ｃ内にインクを着弾させて、複数のノズルＮにおけるインクの着弾面積に基づいて、複数のノズルＮから吐出されるインクの吐出量の分布を求める方法は、従来の複数のノズルＮから吐出されたインクの重量を測定する方法に比べて、膨大な工数がかからないので生産効率に優れる。また、複数のノズルＮから吐出されたインクが着弾したシート部材１５が適宜搬送されるので、着弾面積の測定が効率よく行われる。
【００８９】
この構成によれば、隔壁層の高さＨｂがインク受容層の高さＨａよりも高いので、複数のノズルＮからインクを吐出して描画する場合に、１ドット形成毎に所定の量（例えば、３０〜７０ｎｇ）のインクが吐出されても、インク受容層５０の高さよりも高い隔壁層１５ｂの複数の開口部１５ｃ内にインクを着弾することによって、吐出されたインクが濡れ拡がって隣り合う位置のインクの着弾領域に侵入してしまうことが格段に防止される。これにより、画像の表示に寄与する測定領域Ｔａにおいて、液滴吐出ヘッド５の全ノズルＮにおけるインクの着弾面積を格段に均一化することが可能となる。
【００９０】
本実施形態の液滴吐出方法によれば、第１着弾工程によってシート部材１５を構成するシート基材１５ａ上の測定領域Ｔａに設けられた隔壁層１５ｂの複数の開口部１５ｃ内にインクが着弾されるので、吐出されたインクが濡れ拡がって隣り合う位置のインクの着弾領域に侵入してしまうことが防止される。これにより、測定領域Ｔａにおけるインクの着弾面積のばらつきが小さくなる。そして、第１着弾工程の後の第１解析工程により複数のノズルＮにおけるインクの吐出量の分布が求められる。そして、第１制御工程により複数のノズルＮにおけるインク吐出量が所定の適正量に近づくように調整される。これにより、複数のノズルＮにおけるインク吐出量のばらつきが補正される。このため、液滴吐出ヘッド５の全ノズルＮから均一な量のインクを吐出するとともに、全ノズルＮにおけるインクの着弾面積を均一化することが可能となる。したがって、スジムラを目立たなくして画質の低下を抑制することができる。
【００９１】
なお、上記液滴吐出方法においては、第１制御工程の後に、シート部材１５を構成するシート基材１５ａ上の測定領域Ｔａに設けられた隔壁層１５ｂの複数の開口部１５ｃ内にインクを着弾する第２着弾工程と、第２着弾工程の後に、シート部材１５の測定領域Ｔａにおける複数の開口部１５ｃ内に着弾されたインクの第２着弾面積を測定し、複数のノズルＮから吐出されたインクの吐出量の分布を求める第２解析工程と、前記分布から複数のノズルＮにおけるインク吐出量が所定の適正量に近づくように複数の駆動素子ＰＺに印加する電圧を調整する第２制御工程と、を少なくとも１回有していてもよい。
【００９２】
この製造方法によれば、第１制御工程の後に、着弾工程と解析工程と制御工程とを複数回繰り返して行うことにより、複数のノズルＮにおけるインク吐出量のばらつきと、複数のノズルＮにおける着弾面積のばらつきと、が確実に調整される。このため、液滴吐出ヘッド５の全ノズルＮから格段に均一な量のインクを吐出するとともに、全ノズルＮにおけるインクの着弾面積を格段に均一化することが可能となる。したがって、スジムラをより目立たなくして画質の低下を格段に抑制することができる。
【００９３】
なお、上記液滴吐出方法においては、第２着弾工程で着弾するインクについても、カラーフィルター層ＣＦにならって、上述の第１着弾工程（図４のステップＳ３）と同様に適宜の配列形態で着弾するのがよい。これにより、液滴吐出ヘッド５の複数のノズルＮにおける補正前の吐出状態と、補正後の吐出状態と、が確実に整合するようになる。
【００９４】
また、本発明のカラーフィルターの製造方法によれば、上述したように液滴吐出ヘッドの全ノズルから均一な量のインクが吐出されるとともに、全ノズルにおけるインクの着弾面積が均一化されるので、スジムラの無い高品質なカラーフィルターを製造することができる。
【００９５】
なお、上記実施形態では、ノズル間のインクの着弾面積のばらつきが調整された液滴吐出装置１を用いてカラーフィルターを製造する場合について説明したが、これに限らない。例えば、本発明の液滴吐出装置１はカラーフィルターの製造だけでなく、均一な膜厚を必要とされ、スジムラの形成が問題となる成膜工程においても適用可能である。
【符号の説明】
【００９６】
１…液滴吐出装置、５…液滴吐出ヘッド、１２…供給リール、１３…巻取リール、１４…面積計測用カメラ（撮像装置）、１５…シート部材、１５ａ…シート基材、１５ｂ…隔壁層、１５ｃ…開口部、３１…制御ユニット（制御手段）、３２…解析ユニット（解析手段）、５０，５０ａ，５０ｂ…インク受容層、５１…顔料、５２…バインダー、ＣＦ…カラーフィルター層（カラーフィルター）、Ｄ…着弾径、Ｈａ…インク受容層の高さ、Ｈｂ…隔壁層の高さ、Ｎ…ノズル、Ｐ…カラーフィルター基板（基材）、ＰＺ…駆動素子、Ｗｂ…開口間隔
【図１】
2010243532.tif 000003
【図２】
2010243532.tif 000004
【図３】
2010243532.tif 000005
【図４】
2010243532.tif 000006
【図５】
2010243532.tif 000007
【図６】
2010243532.tif 000008
【図７】
2010243532.tif 000009
【図８】
2010243532.tif 000010